(57)【要約】【課題】充分な量の防災用品等を収納でき、これらの防災用品等を、まとめて取り出すことができるとともに、壁面の見栄えの良い壁埋め込み収納ボックスを提供するものである。【解決手段】中空壁１０２の内部空間に少なくとも一部が埋め込まれて保持される収納ボックス本体１０４と、上記収納ボックス本体の正面開口部１０８を着脱可能に覆う蓋体１０６と、上記収納ボックス本体の埋め込み周壁部から上記中空壁の内部空間に延出して設けられる拡張ボックス１５８，１５９とを備えて構成される。【選択図】図２
2008063934.tif 000002
【特許請求の範囲】
【請求項１】
中空壁の内部空間に少なくとも一部が埋め込まれて保持される収納ボックス本体と、
上記収納ボックス本体の正面開口部を着脱可能に覆う蓋体と、
上記収納ボックス本体の埋め込み周壁部から上記中空壁の内部空間に延出して設けられる１又は２以上の拡張ボックスとを備える、壁埋め込み収納ボックス。
【請求項２】
上記拡張ボックスの総容量を、収納ボックス本体の容量の２倍以上に設定した、請求項１に記載の壁埋め込み収納ボックス。
【請求項３】
上記拡張ボックスは、複数の連結ボックスを備えて構成されている、請求項１又は請求項２のいずれかに記載の壁埋め込み収納ボックス。
【請求項４】
上記拡張ボックスは、上記収納ボックス本体内に仮収納できるように構成されている、請求項１から請求項３のいずれかに記載の壁埋め込み収納ボックス。
【請求項５】
上記拡張ボックスの上記正面開口部側の側壁部を、上記埋め込み周壁部に近づくに従って上記正面開口部に近接するテーパ状に形成した、請求項１から請求項４のいずれかに記載の壁埋め込み収納ボックス。
【請求項６】
収納物を収容するとともに、上記収納ボックス本体及び／又は上記拡張ボックス内に配置される２以上の収納袋と、
これら収納袋を、上記正面開口部から順次引き出せるように連結した連結紐体とを備える、請求項１から請求項５のいずれかに記載の壁埋め込み収納ボックス。
【請求項７】
上記収納袋が網状材料から形成されている、請求項６に記載の壁埋め込み収納ボックス。
【請求項８】
上記収納ボックス本体及び／又は上記拡張ボックス内に設けられる内部照明と、
上記蓋体に設けられる外部照明と、
少なくとも停電時に、上記内部照明及び外部照明を点灯させることのできる電源装置とを備える、請求項１から請求項７のいずれかに記載の壁埋め込み収納ボックス。
【請求項９】
上記蓋体を上記収納ボックス本体の正面開口部から取り外すことにより、上記内部照明を点灯させる切替えスイッチを備える、請求項８に記載の壁埋め込み収納ボックス。
【請求項１０】
上記外部照明は、上記蓋体の輪郭が判別できるように、複数あるいは連続的な発光体が上記蓋体の縁部に沿って設けられている、請求項８又は請求項９のいずれかに記載の壁埋め込み収納ボックス。
【請求項１１】
上記蓋体の表面内側部に展示物を保持できる展示物保持スペースを設けた、請求項８から請求項１０のいずれかに記載の壁埋め込み収納ボックス。
【請求項１２】
上記外部照明は、上記展示物を照らすように構成されている、請求項８から請求項１１のいずれかに記載の壁埋め込み収納ボックス。
【請求項１３】
上記蓋体の外周縁部に上記蓋体の表面内側部に向けて開口する凹溝を設け、この凹溝に発光体を配置して上記外部照明が構成されている、請求項８から請求項１２のいずれかに記載の壁埋め込み収納ボックス。
【請求項１４】
上記蓋体は、上記収納ボックス本体の正面開口部の縁部との間に設けられる面ファスナー又は磁石によって着脱可能に保持されている、請求項１から請求項１３のいずれかに記載の壁埋め込み収納ボックス。
【請求項１５】
上記収納ボックス本体を、壁面開口部の縁部に装着される取付枠を介して壁面に連結固定した、請求項１から請求項１４のいずれかに記載の壁埋め込み収納ボックス。
【発明の詳細な説明】
【技術分野】
【０００１】
本願発明は、壁埋め込み収納ボックスに関する。詳しくは、内部に非常用具等を収納できるとともに、非常照明としても使用できる壁埋め込み収納ボックスに関する。
【背景技術】
【０００２】
消火器や懐中電灯、携帯ラジオ等の防災用具は、玄関の棚等に収納されることが多い。しかしながら、マンション等の玄関は狭く、これら防災用具を収納するスペースを確保するのが困難である。上記問題を解消するため、壁埋め込みタイプの収納箱が提案されている。
【０００３】
【特許文献１】特開２００５−２９６５７９
【０００４】
上記特許文献１に記載されている壁埋め込み型常設防災用品収納箱は、防災用品の常備収納手段として、間仕切壁面に埋め込み型収納箱を設置するものである。上記手法を採用することにより、壁を有効利用して防災用品を収納することができる。
【発明の開示】
【発明が解決しようとする課題】
【０００５】
上記特許文献１に記載されている壁埋め込み型収納箱は、壁面に、埋め込みタイプの棚を設置するものである。このため、収納した防災用品を容易に取り出すことができるものの、防災用品が常時目に触れることになり、見栄えが良いとはいえない。したがって、玄関等に設けるのは敬遠される。
【０００６】
また、収納量を確保するには大きな収納箱を設置するのが好ましいが、そうすると、壁面に大きな開口部を設ける必要がある。ところが、壁面に大きな開口部を設けると壁面の見栄えが低下するばかりでなく、壁自体の強度が低下したり、収納箱の設置工事が困難になったりする恐れもある。しかも、マンション等の間仕切壁は、厚さが小さいため、大きな収納スペースを確保するのも困難である。
【０００７】
防災用品等は、非常の際に一度に持ち出せるように準備しておくのが好ましい。このため、防災用品をまとめて収納する防災袋が採用されることが多いが、複数の防災用品等を一つの防災袋に収納した場合袋が大きくなる。したがって、上記収納箱に上記防災袋を収容する大きなスペースを確保する必要が生じる。ところが、上記のような壁面に設けた収納箱では上記防災袋を収納するスペースを確保することが困難であり、上記従来の防災袋を収納するのは非常に困難であった。
【０００８】
一方、複数の防災用品をばらばらに収納したのでは、非常の際に持ち出すことが困難になる。
【０００９】
さらに、夜間に地震が発生した場合、停電して暗闇になることが多い。このような場合、防災用具の収納場所を探すのは困難である。上記特許文献１に記載されている発明においては、蓄光型、反射型の発光テープ等を貼り付けることにより、上記課題を解決しようとしている。
【００１０】
しかしながら、マンションの玄関等は、太陽光が入らない場合が多く、照明も常時消灯されていることが多い。このため、上記発光テープ等では対応できない。
【００１１】
本願発明は、上記従来の問題を解決し、充分な量の防災用品等を収納できるものである。また、これらの防災用品等を、まとめて取り出すことができるとともに、壁面の見栄えが良く、しかも、停電時等の照明装置としても利用できる壁埋め込み収納ボックスを提供するものである。
【課題を解決するための手段】
【００１２】
請求項１に記載した埋め込み収納ボックスは、中空壁の内部空間に少なくとも一部が埋め込まれて保持される収納ボックス本体と、上記収納ボックス本体の正面開口部を着脱可能に覆う蓋体と、上記収納ボックス本体の埋め込み周壁部から上記中空壁の内部空間に延出して設けられる拡張ボックスとを備えて構成される。
【００１３】
本願発明においては、収納ボックス本体の少なくとも一部を壁に埋め込むことにより、中空壁内部のスペースを有効利用できる。
【００１４】
また、上記収納ボックス本体の正面開口部には、蓋体が着脱可能に設けられる。上記蓋体を設けることにより、上記収納ボックス本体内に収納した防災用品等が目に触れることがなくなる。このため、外観見栄えが良くなり、収納場所が制限されることがなくなる。しかも、上記蓋体は、着脱可能に装着されているため、非常時において、防災用品を取り出す際に邪魔になることはない。
【００１５】
上記収納ボックスの形態は特に限定されることはない。たとえば、直方体状のみならず円形、ハート型等のデザイン性の高い収納ボックスを採用することができる。
【００１６】
さらに、本願発明では、上記収納ボックス本体の埋め込み周壁部から上記中空壁の内部空間に延出する拡張ボックスが設けられる。
【００１７】
上記拡張ボックスは、収納ボックス本体から中空壁の内部空間に延出して設けられる。このため、上記収納ボックス本体を装着するための壁面開口部を大きくすることなく、収納量を増加させることが可能となる。したがって、壁面の見栄えを低下させることなく、大きな容量の収納ボックスを設置することが可能となる。
【００１８】
上記拡張ボックスの形態、延出位置及び数は特に限定されることはない。また、拡張ボックスを設ける目的も限定されることはない。
【００１９】
上記拡張ボックスを設ける埋め込み周壁部は特に限定されることはない。たとえば、正面視矩形状の収納ボックス本体を採用する場合、左右壁や上下側壁の選択した１又は２以上の部位に拡張ボックスを設けることができる。また、中空壁の内部空間の厚さが大きい場合には、背面側に拡張ボックスを設けることもできる。また、左右壁のほぼ全面に上記拡張ボックスを設けることもできるし、これらの一部から延出する拡張ボックスを設けることもできる。さらに、上記拡張ボックスを収納を目的として設けることができるばかりでなく、電源や照明装置を設置するために設けることもできる。
【００２０】
請求項２に記載した発明は、上記拡張ボックスの総容量を、収納ボックス本体の容量の２倍以上に設定したものである。たとえば、埋め込み部分の周壁部のうち、上下左右の側壁部に拡張ボックスを設ける場合、理論的には収納ボックス本体の容量の４倍近い容量の拡張ボックスを設置することが可能となる。非常用品を充分に収納するため、左右の側壁部に、合計で上記収納ボックス本体容量の２倍以上の容量を備える拡張ボックスを設けるのが好ましい。
【００２１】
請求項３に記載した発明は、拡張ボックスを複数の連結ボックスから構成することによって、収納ボックスの容量を増加させるものである。
【００２２】
上記収納ボックス本体及び上記拡張ボックスは、壁面に設けた開口部を介して壁の内部空間に埋め込み設置される。上記拡張ボックスは上記壁面開口部を介して収納ボックス本体内に挿入され、上記収納ボックス本体の周壁部に設けた取付開口部から中空壁の内部空間に延出させられる。したがって、単体の拡張ボックスでは上記収納ボックス本体以上の容量をもつ拡張ボックスを設けることは困難である。また、拡張ボックスの上下左右の寸法以上の寸法を備える拡張ボックスを設けることも困難である。
【００２３】
請求項３に記載した発明では、拡張ボックスを複数の連結ボックスから構成することによって、収納ボックス本体以上の容量や寸法を備える拡張ボックスを設けることも可能となる。
【００２４】
上記連結ボックスの形態は特に限定されることはない。たとえば、２以上の連結ボックスを入れ子状に構成して、収納ボックス本体から壁の内部空間へ順次延出させて拡張ボックスを構成することができる。これにより、収納ボックス本体より大きな容量の拡張ボックスを設置することも可能となる。また、収納ボックスの寸法以上の寸法を備える拡張ボックスを設けることも可能となる。これにより、長尺状の収納品を収納することも可能となる。
【００２５】
また、壁の内部空間には、補強桟や筋交いが設けられている。大きさや形態の異なる連結ボックスを連結して拡張ボックスを構成することにより、壁の内部空間に対応した収納スペースを設けることも可能となる。
【００２６】
上記拡張ボックスは、上記収納ボックス本体の正面開口部を介して収納ボックス本体内に導入した後に、収納ボックス本体の側壁等から壁の内部空間に延出して設置することができる。これにより、収納ボックス本体を設置するための壁面開口部を設けるだけで、収納ボックス本体以上のスペースや寸法を備える収納ボックスを設置することができる。
【００２７】
上記拡張ボックス及び上記連結ボックスの取付方法は特に限定されることはない。たとえば、ネジや嵌合構造を用いて固定的に連結することができる。また、収納ボックス本体の下方に延出させて拡張ボックスを設ける場合には、鍔等によって掛止するのみの構造を採用することもできる。
【００２８】
請求項４に記載した発明は、上記拡張ボックスを上記収納ボックス本体内に仮収納できるように構成したものである。
【００２９】
上記拡張ボックスを収納ボックス内に仮収納できるように構成することにより、搬送する際の製品の容量を小さく設定できるとともに、取付作業を容易行うことができる。たとえば、拡張ボックスを収納ボックス本体内に仮収納した状態で取付現場まで搬送し、拡張ボックスを仮収納した収納ボックス本体を壁に埋め込み設置した後に、上記収納ボックス本体から壁の内部空間へ上記拡張ボックスを延出させることができる。
【００３０】
請求項５に記載した発明は、上記拡張ボックスの少なくとも上記正面開口部側の側壁部を、上記埋め込み周壁部に近づくに従って上記正面開口部に近接するテーパ状に形成したものである。
【００３１】
拡張ボックスは、収納ボックス本体の周壁部から壁の内部空間に延出して設けられる。このため、上記拡張ボックスの側壁部を収納ボックス本体の周壁に直交直する方向に延出させると、収納品を取り出す際に拡張ボックスと収納ボックス本体の角部に引っ掛かって、円滑に取り出せない恐れがある。
【００３２】
上記拡張ボックスの正面開口部側の側壁部を、埋め込み周壁部に近づくにしたがって上記正面開口部に近接するテーパ状に形成することにより、上記角部の角度が緩和されて、収納品を円滑に取り出すことが可能となる。上記テーパの形態は特に限定されることはない。たとえば、４５度の面取状に形成することもできる。
【００３３】
請求項６に記載した発明は、収納物を収容するとともに、上記収納ボックス本体及び／又は拡張ボックスに内配置される２以上の収納袋と、これら収納袋を、上記正面開口部から順次引き出せるように連結した連結紐体とを備えるものである。
【００３４】
本願発明に係る収納ボックスは、中空壁への埋め込みを前提としているため、一つの大きな収納空間を確保するのは困難である。一方、上記拡張ボックスを設けることにより、複数の収納空間を確保することは可能であり、これら複数の収納空間に非常用品等を分散して収納することはできる。
【００３５】
ところが、非常用品を分散して収納すると、非常の際に一度に取り出すことができない。本願の請求項６に記載した発明は、この問題を解決するために考案されたものである。
【００３６】
上記複数の非常用品を、上記収納ボックス本体ないし上記拡張ボックスに分散して収容できる複数の収納袋に収容し、これら収容袋を上記連結紐体で連結することにより、複数の収納品を一度に取り出すことが可能となる。しかも、上記複数の収納袋は、上記連結紐体によって順次引き出されるように構成されているため、収納ボックス本体の正面開口部が小さくても、円滑かつ迅速に収納袋を取り出すことが可能となる。
【００３７】
上記連結紐体の構成は特に限定されることはない。収納ボックス本体の正面開口部に近い収納袋から順次引き出せるように、連結されていればよい。
【００３８】
また、上記連結紐体の一部を上記収納ボックス本体の正面開口部近傍に配置し、まずこの連結紐体の一部を握持して、複数の収納袋を順次引き出すように構成することもできる。この場合、上記収納袋を非常用として拡張ボックス内に分散配置する一方、収納ボックス本体に非常用でないものを収納しておくことも可能となる。
【００３９】
特に、本願発明では、拡張ボックス内に複数の収納袋が分散収納されているため、収納袋が正面開口から見えない場合も多い。このため、上記連結紐体を介して収納袋を連結することにより、複数の収納袋を円滑かつ迅速に収納ボックスから取り出すことが可能となる。さらに、上記連結紐体によって複数の収納袋をループ状に連結して、避難する際に使用者の肩や胴体に掛止あるいは巻き付けるように構成することもできる。
【００４０】
請求項７に記載した発明は、上記収納袋を網状材料から形成したものである。
【００４１】
上記収納袋を網状材料で形成することにより、網目に手指を掛止して引き出したり、携帯することが可能になる。また、網状材料に収納した非常用品を一見して識別することが可能となる。さらに、懐中電灯や消化器等を、収納袋に収納したままで使用することも可能になる。このため、収納ボックスから非常用品をまとめて取り出し、迅速かつ確実に判別できるのみならず、収納袋から取り出すことなく使用することも可能となる。
【００４２】
請求項８に記載した発明は、上記収納ボックス本体及び／又は上記拡張ボックス内に設けられる内部照明と、上記蓋体に設けられる外部照明と、少なくとも停電時に、上記内部照明及び外部照明を点灯させることのできる電源装置とを備えて構成したものである。
【００４３】
本願発明に係る壁埋め込み収納ボックスは、上記収納ボックス本体及び／又は上記拡張ボックス内に設けられる内部照明と、上記蓋体に設けられる外部照明とを備えて構成されている。しかも、少なくとも停電時に、上記内部照明及び外部照明を点灯させることのできる電源装置が設けられている。
【００４４】
停電時に上記外部照明を点灯させることにより、上記収納ボックスの位置を容易に見つけることができる。また、上記外部照明が上記蓋体に設けられているため、上記蓋体の取り外しを容易に行うことができる。さらに、上記外部照明は、非常時のみに利用されるものではなく、日常の照明として利用することができる。このため、本願発明に係る壁埋め込み収納ボックスを玄関等に設置して通常照明として利用することも可能となる。
【００４５】
一方、蓋体を取り外すと、上記蓋体の照明は利用できなくなるが、本願発明では、上記収納ボックス本体内部に内部照明を設けているため、上記蓋体を取り外しても非常照明としての機能を維持することができる。また、内部照明によって、収納ボックス本体内部に収納した非常用品等を取り出し、操作等を行うことも可能となる。
【００４６】
上記電源装置の構成は特に限定されることはないが、通常時に蓄電できる蓄電池を備えて構成し、停電時に上記外部照明及び上記内部照明に電力を供給できるように構成するのが好ましい。
【００４７】
本願の請求項９に記載した発明は、上記蓋体を上記収納ボックス本体の開口部から取り外すことにより、上記内部照明を点灯させる切替えスイッチを備えて構成したものである。
【００４８】
上記蓋体を装着している場合には、上記収納ボックス本体内の内部照明を点灯させる必要はない。したがって、上記切替えスイッチを設けることにより、省エネルギ化を図ることができる。上記切替えスイッチとして種々の手法を採用できる。たとえば、上記蓋体を装着することにより、内部照明をＯＦＦとするスイッチを設け、上記蓋体を取り外すことにより内部照明が自動的にＯＮするように構成するのが望ましい。また、収納ボックス本体等に蓋体が装着されていることを検出できる近接センサー等を設け、上記切替えスイッチを構成することができる。
【００４９】
本願の請求項１０に記載した発明は、上記外部照明として複数あるいは連続的な発光体を上記蓋体の縁部に沿って設けることにより、上記蓋体の輪郭が判別できるように構成したものである。停電を伴う非常時に、上記蓋体を迅速に取り外すには、蓋体の輪郭を識別できる必要がある。上記構成を採用することにより、蓋体の輪郭全体を視認することが可能となり、停電した場合でも迅速に蓋体を取り外して非常用品等を取り出すことができる。
【００５０】
上記外部照明として、種々の発光装置を採用できる。たとえば、多数のＬＥＤ発光体を帯状部材に所定間隔で設けたテープライトを採用することができる。また、種々の面状発光体を採用することができる。さらに、ＬＥＤランプ等の発光体を上記蓋の縁部に沿って所定間隔で直接設置しても良い。
【００５１】
本願の請求項１１に記載した発明は、上記蓋体の表面内側部に、展示物を保持できる展示物保持スペースを設けたものである。
【００５２】
写真、絵画等を上記蓋体に保持することにより、一種の装飾家具を構成できる。このため、非常用具を収納するものであるにも係わらず、見栄えが問題になることはなくなる。したがって、種々の場所に設置することが可能となる。
【００５３】
上記展示物保持スペースは、写真等を貼着できるように構成することもできるし、アクセサリ等を係止できるフック等を設けて構成することもできる。また、絵画等に適する額縁形態の展示物保持スペースを設けることもできる。さらに、小さな置物等を載置できる凹部を設けることもできる。特に、本願発明では、拡張ボックス内に非常用品を収納できるため、収納ボックス本体内のスペースを上記展示物保持スペースとして利用することが可能となる。
【００５４】
本願の請求項１２に記載した発明は、上記外部照明によって、上記展示物を照らすように構成したものである。
【００５５】
本願発明では、上記外部照明を蓋部の縁部に設けているため、この外部照明の一部を内側に向けて照射し、上記展示物保持スペースを照らすことができる。
上記展示物保持スペースを照らすことにより、本願発明に係る壁埋め込み収納ボックスの装飾性がさらに高まる。これにより、本願発明に係る外部照明は、通常時の照明機能と、非常時の照明機能と、非常時に上記蓋体の輪郭を識別する機能と、上記展示物を照明する機能とを合わせもつことになる。
【００５６】
上記外部照明で展示物を照明する手法は特に限定されることはない。発光体から照射される光の一部によって上記展示物を照明するように構成することもできるし、展示物を直接照明するように構成してもよい。
【００５７】
本願の請求項１３に記載した発明は、上記蓋体の外周縁部に上記蓋体の表面内側部に向けて開口する凹溝を設け、この凹溝に発光体を配置して上記外部照明を構成したものである。
【００５８】
上記構成を採用することにより、上記展示物を直接照明できるだけではなく、設置空間の間接照明として機能させることも可能となり、さらに装飾機能を高めることが可能となる。また、発光体を覆うカバー等を設けることにより、より雰囲気のよい照明を構成することができる。
【００５９】
本願発明の蓋体は、非常時には容易に取り外すことができるように保持する必要がある。たとえば、本願の請求項１４に記載した発明のように、上記蓋体を、上記収納ボックスの開口縁部との間に設けられる面ファスナーによって着脱可能に保持することができる。
【００６０】
面ファスナーを利用することにより、非常時等に上記蓋体を極めて容易に取り外すことが可能となる。また、金具等を用いる場合に比べて凹凸がなく、また柔軟性があるため、皮膚が接触しても怪我をする恐れがない。このため、容易に着脱できるばかりでなく、非常時における安全性がきわめて高い。
【００６１】
本願の請求項１５に記載した発明は、上記収納ボックス本体を、壁面開口部の縁部に連結される取付枠を介して壁面に連結固定したものである。
【００６２】
上記取付枠を採用することにより、壁内部に収納ボックス本体を固定するスペースや部材が存在しない場合であっても、収納ボックス本体を壁面に設けた開口部に確実に固定することが可能となる。このため、種々の壁面に取り付けることが可能となる。また、収納ボックス本体の一部が壁面から突出した状態で取り付けることも可能となる。
【発明を実施するための最良の形態】
【００６３】
以下、本願発明を図に基づいて具体的に説明する。
【００６４】
図１に本願発明の第１の実施形態に係る壁埋め込み収納ボックス１０１の全体斜視図を、図２にこの壁埋め込み収納ボックス１０１の取付手順を示す分解斜視図を示す。
【００６５】
上記壁埋め込み収納ボックス１０１は、中空壁１０２の内部空間に少なくとも一部が埋め込まれて保持される収納ボックス本体１０４と、上記収納ボックス本体１０４の正面開口部１０８を着脱可能に覆う蓋体１０６と、上記収納ボックス本体１０４の左右側壁部から上記中空壁１０２の内部空間に延出して設けられる拡張ボックス１５８，１５９とを備える。
【００６６】
上記収納ボックス本体１０４は、上記正面開口部１０８を有する矩形箱状に形成されているとともに、上記正面開口部１０８の周囲に鍔部１０５が形成されている。上記収納ボックス本体１０４は、上記中空壁１０２に設けた壁面開口部１０３に嵌め込まれ、上記鍔部１０５を上記壁面開口部１０３の表面側縁部に添着した状態で取り付けられる。上記収納ボックス本体１０４は、上記鍔部１０５を上記中空壁表面の壁面開口縁部にネジ止めし、あるいは、収納ボックス本体１０４の背面を中空壁の奥面等にネジ止め等することにより固定される。
【００６７】
上記拡張ボックス１５８，１５９は、上記収納ボックス本体１０４の内部空間に開口する収容空間１５８ｂ，１５９ｂを備える矩形箱状に形成されている。上記収容空間１５８ｂ，１５９ｂの開口縁部には、上記収納ボックス本体に止着される鍔部１６１，１６２が形成されており、上記収納ボックス本体１０４の左右壁部に設けた取付開口部１５５，１５６から、中空壁１０２の内部空間に延出させて取り付けられる。
【００６８】
上記拡張ボックス１５８．１５９の正面開口部側の側壁部１５８ａ，１５９ａは、これが取付られた収納ボックス本体１０４の側壁部に近づくに従って上記正面開口部１０８に近接するテーパ状に形成されている。これにより、上記収納ボックス本体１０４と上記拡張ボックス１５８，１５９の連結角部の角度が緩和され、上記拡張ボックス１５８，１５９内に収納した収納品を、上記正面開口部１０８から円滑に取り出すことができる。
【００６９】
上記拡張ボックス１５８．１５９は、図２に示すように、上記正面開口部１０８から収納ボックス本体１０４の内部空間へ挿入することができる形態に形成されているとともに、上記取付開口部１５５，１５６から中空壁１０２の内部空間へ延出させられる。その後、上記鍔部１６１，１６２を上記収納ボックス本体１０４の上記取付開口部１５５，１５６の縁部にねじ等を用いて固定される。
【００７０】
上記収納ボックス本体１０４の鍔部１０８の上部には、上記蓋体１０６を掛止できるフック２１１が設けられている。上記蓋体１０６は、上記フック２１１を介して上記正面開口部１０８及び上記鍔部１０５を覆うようにして着脱可能に装着される。上記蓋体１０６の表面には、絵柄等の装飾模様１０７を設けたり、写真等の装飾品を保持できるように構成することができる。これにより、収納ボックスの正面開口部１０８を塞いで収納物を見えなくするとともに、デザイン性を向上させることが可能となる。
【００７１】
図３は、本実施形態に係る壁埋め込み収納ボックス１０１に、非常用品等を収容した収納袋１７０を収納した状態を示す断面図である。
【００７２】
本実施形態に係る収納袋１７０は、２つの収納袋１７１，１７２を、連結紐体１７３を用いて連結するとともに、取り出し用の引き出し部１７４を設けて構成される。
【００７３】
上記収納袋１７０は、一方の収納袋１７１が図３の右側の拡張ボックス１５８内に収納される一方、他方の収納袋１７２が左側の拡張ボックス１５９に収納される。また、上記引き出し部１７４は、正面開口部１０８の近傍に配置される。これにより、複数の非常用品等を上記収納ボックス本体１０４や拡張ボックス１５８，１５９に分散して収納することが可能となる。
【００７４】
上記連結紐体１７３及び上記引き出し部１７４は、上記引き出し部１７４を正面開口部１０８から引き出すと、上記収納袋１７２及び上記収納袋１７１が上記収納ボックスの正面開口部から順次引き出されるように構成されている。したがって、２つの収納袋１７１，１７２が、上記正面開口部１０８から引き出される際に干渉することはなく、非常時等にこれら２つの収納袋を、円滑かつ迅速に取り出すことが可能となる。
【００７５】
図４及び図５に、収納袋の他の実施形態を示す。
【００７６】
収納袋１８０は、網状材料から形成された３つの収納袋１８１，１８２，１８３を、連結紐体１８４，１８５で一体的に連結した構造を備える。
【００７７】
上記収納袋１８３は、他の収納袋１８１，１８２より大きく設定されているとともに、この大きな収納袋１８３を収納ボックス本体１０４内に収納するとともに、他の収納袋１８１，１８２は、左右の拡張ボックス１５８，１５９内に収納される。
【００７８】
本実施形態に係る上記収納袋１８０は網状材料から形成されているため、図３に示す実施形態の引き出し部を設けることなく、収納袋１８３の網目に直接手指を掛止して容易に引き出すことができる。
【００７９】
また、上記連結紐体１８４，１８５を用いて３つの収納袋を連結することにより、各収納袋を上記収納ボックス内に分散配置できるとともに、順次引き出すことができる。したがって、正面開口部１０８を通過する際に干渉することなく、複数の収納袋を円滑かつ迅速に引き出すことができる。
【００８０】
さらに、収納袋１８１，１８２，１８３を網状材料で形成することにより、収容した非常用品、たとえば、懐中電灯１９２や消化器１９１を収納袋の外側から容易に識別することができる。
【００８１】
しかも、網目を所定の大きさに設定することにより、上記消化器１９１や上記懐中電灯１９２を、収納袋１８１，１８２に収納したままで使用することも可能となる。このため、非常の際に、これらの非常用品を迅速かつ確実に使用することも可能となる。
【００８２】
さらに、本実施形態では、図５に示すように、収納袋１８１と収納袋１８３を連結する連結紐体１８６を設けている。上記連結紐体１８６を設けることにより、３つの収納袋１８３，１８２，１８１が、ループ状に連結される。このため、上記連結紐体１８６を使用者の肩等に掛止して持ち運ぶことが可能となる。これにより、使用者の手があき、避難の際等における安全性を格段に向上させることができる。
【００８３】
図６に、本願発明に係る収納ボックスの第２の実施形態を示す。
【００８４】
図６に示す壁埋め込み収納ボックス２０１は、２つの拡張ボックス２５８，２５９を収納ボックス本体２０４内に仮収納できるように構成したものである。
【００８５】
上記２つの拡張ボックス２５８，２５９を収納ボックス本体２０４内に仮収納するため、一方の拡張ボックス２５９を、他方の拡張ボックス２５８より大きく形成して、この大きな拡張ボックス２５９内に、小さな拡張ボックス２５８を入れ子状に収容できるように構成している。
【００８６】
拡張ボックス２５８，２５９を仮収容した状態で、上記収納ボックス本体２０４が取付現場まで搬送され、中空壁２０２の取付開口部２０３に嵌め込んで取り付けられる。その後、上記拡張ボックス２５８，２５９が中空壁２０２の内部空間に延出させられて固定される。
【００８７】
上記構成を採用することにより、搬送の際の体積及び部品点数を減少させることが可能となる。また、取付手順を簡略化することもできる。
【００８８】
図７に、本願発明に係る収納ボックスの第３の実施形態を示す。
【００８９】
この実施形態では、拡張ボックス３７０を３つの連結ボックス３５８，３５９，３６０を連結して構成したものである。
【００９０】
各連結ボックス３５８，３５９，３６０は、収納ボックス本体３０４の内部空間に開口する開口部をそれぞれ備えるとともに、これら開口部の縁部に連結用の鍔部３６１，３６２，３６３がそれぞれ形成されている。また、上記収納ボックス本体３０４に連結される連結ボックス３５８とこれに連結される連結ボックス３５９には、下方に連結される連結ボックスを延出させるための開口部３５６，３５７がそれぞれ形成されている。これら連結ボックスを上記正面開口部３０８、取付開口部３５５、上記開口部３５６，３５７を介して挿入し、順次下方に延出させることにより、拡張ボックス３７０が形成される。
【００９１】
上記構成を採用することにより、上記収納ボックス本体３０４より長さの大きな収納空間を確保することが可能となる。一方、中空壁３０２に設けた取付開口部３０３は、上記収納ボックス本体３０４を埋め込めるだけの大きさで形成すればよいため、上記拡張ボックス３７０に対応した大きさの取付開口部を設ける必要がない。このため、外観が小さいように見えて収納容量の大きな収納ボックスを設けることが可能となる。
【００９２】
本実施形態では、上記各連結ボックス３５８，３５９，３６０は下方に延出させられて、上記鍔部３６１，３６２，３６３によって連結される。この場合、これらの連結ボックスをネジ等で固定することなく、上記拡張ボックス３７０を構成することができる。なお、ネジ等を用いて固定的に連結してもよい。
【００９３】
図８に、本願発明に係る壁埋め込み収納ボックスの第４の実施形態の外観図を、図９に上記壁埋め込み収納ボックス４０１の分解斜視図を示す。
【００９４】
これらの図に示すように、上記壁埋め込み収納ボックス４０１は、壁４０２に設けた壁面開口部４０３に埋め込み状に保持される矩形箱状の収納ボックス本体４０４と、上記壁面開口部４０３の縁部に固定されるとともに、上記収納ボックス本体４０４の開口縁部が連結される取付枠４０５と、上記取付枠４０５に着脱可能に保持される蓋体４０６と、上記蓋体４０６の外面中央部に保持される装飾プレート４１７とを備えて構成される。
【００９５】
上記壁面開口部４０３は、上記収納ボックス本体４０４の形態及び寸法に対応して壁面を切り欠くことにより設けられる。また、内部が中空であれば、種々の壁面に上記埋め込み収納ボックス４０１を設置することができる。さらに、収納ボックス本体４０４の全部を埋め込む必要はなく、中空壁４０２の内部空間の厚さ等に応じて、収納ボックス本体４０４の一部を埋め込むように構成することもできる。
【００９６】
図９及び図１１に示すように、上記取付枠４０５は、矩形枠状に形成されており、裏面内周側に上記収納ボックス本体４０４の開口縁部４０８が、ネジ４０９によって連結される。一方、上記取付枠４０５の裏面外周側が、壁４０２の上記開口部周縁にネジ４１０によって連結される。なお、図９に示すように、上記取付枠４０５には、上記ネジの位置決めを容易に行うことができるように、位置決め穴４１１，４１２が形成されている。
【００９７】
上記構成を採用することにより、壁内部に収納ボックス本体４０４を固定できる桟等がない場合においても、上記収納ボックス本体４０４を確実に固定することができる。また、上記収納ボックス本体４０４を、種々の壁面に設置することが可能となる。なお、上記収納ボックス本体４０４の底部を、上記中空壁４０２の内部の桟等に直接連結することもできる。上記収納ボックス本体４０４の内側上面には内部照明装置４１３及び電源装置４１４が設置されている。
【００９８】
上記蓋体４０６は、上記取付枠４０５より一回り大きな矩形板状に形成されており、外側周縁部に外部照明装置４１５が設けられている。
【００９９】
図１０及び図１２に示すように、上記外部照明装置４１５は、ＬＥＤ発光体４１６を帯状部材４１７に所定間隔で設けて導通させたテープライトが採用されている。上記ＬＥＤ発光体４１６は、正面視矩形枠状のカバー４１８内に収納されている。上記発光体４１６から延びる電力供給回路４１９が、上記蓋体４０６の内部と上記取付枠４０５の内部を通って、上記電源装置４１４まで設けられている。
【０１００】
図１２に示すように、上記電力供給回路４１９の途中において、上記蓋体４０６の上方内周部４２０と、上記取付枠４０５の上方外周部４２１には、上記蓋体４０６の重量によって互いに接触して導通させられる蓋接点４２２と取付枠接点４２３とがそれぞれ設けられている。上記蓋体４０６を取り外すと、上記接点４２２，４２３が開かれ、上記外部照明が消灯させられる。
【０１０１】
本実施の形態では、上記蓋体４０６の裏面側に上記取付枠４０５を囲むようにして段付き部４２０を形成するとともに、この蓋体４０６の裏面側角部と上記取付枠４０５の表面側角部に、面ファスナーＦ1 ，Ｆ2 が設けられている。この面ファスナーにＦ1 ，Ｆ2 よって、上記蓋体４０６が上記取付枠４０５に保持されている。
【０１０２】
上記面ファスナーＦ1 ，Ｆ2 を採用することにより、上記蓋体４０６を上記取付枠４０５に確実に保持できるとともに、容易に取り外すことができる。このため、非常時に上記蓋体４０６の取り外しに手間がかかることはない。また、面ファスナーＦ1 ，Ｆ2 は、柔軟な樹脂で形成されているため、皮膚が接触しても怪我をする恐れはなく、非常時等に蓋体４０６を安全に取り外すことができる。
【０１０３】
図１３に、本実施の形態に係る照明装置の回路の概略を示す。
【０１０４】
商用電源４２５から供給される交流電力は、変圧器及び交流直流変換器４２６によって、所定電圧の直流電力に変換される。上記直流電力は、通常時に上記照明４１３，４１５を点灯する回路Ｃ1 と、非常時に上記照明を点灯する回路Ｃ2 に分岐して供給される。
【０１０５】
通常時使用回路Ｃ1 には、明かりセンサー４２７と、この明かりセンサー４２７によって制御される点灯スイッチ４２８が設けられており、設置環境が暗くなった場合に上記外部照明装置４１５を点灯するように構成されている。
【０１０６】
内部照明装置４１３は、上記蓋体４０６が装着されている状態では点灯させる必要はない。このため、蓋センサー４２９とこの蓋センサー４２９によって制御される切替えスイッチ４３０とが設けられている。上記蓋センサー４２９は、蓋体４０６が装着されている場合は、上記切替えスイッチ４３０を制御して上記外部照明装置４１５に電力を供給して点灯させる。一方、上記蓋体４０６を取り外した場合には、上記内部照明装置４１３に電力を供給して点灯させる。
【０１０７】
上記蓋センサー４２９として、種々の手法を採用できる。たとえば、上記接点４２２，４２３が開かれたことを関知して作動するセンサーを採用できる。また、蓋体４０６と取付枠４０５とに近接センサーを設けて構成することもできる。
【０１０８】
また、上述したように、上記取付枠４０５と上記蓋体４０６との間には、取付枠接点４２３と蓋接点４２２とが設けられており、上記蓋体４０６を取り外すと上記外部照明装置４１５への回路が開いて消灯するように構成されている。
【０１０９】
一方、上記非常用回路Ｃ2 には、蓄電池４３１が設けられており、上記変圧器、交流直流変換器４２６から分岐して電力が常時供給されることにより、通常時に蓄電できるように構成されている。また、上記非常用回路には、上記交流電源の停電を関知できる停電関知リレー４３２が設けられており、商用電源４２５が停電した場合には、上記蓄電池４３１に蓄電した電力を、上記外部照明装置４１５及び上記内部照明装置４１３に直接供給して点灯させるように構成されている。
【０１１０】
上記回路を採用することにより、通常時には、一般照明として利用できるとともに、非常時には非常照明として利用することが可能となる。しかも、上記外部照明装置４１５と上記内部照明装置４１３とを設けることにより、蓋体４０６の装着の有無に係わらず照明を確保できる。
【０１１１】
図１４に、本願発明の第５の実施形態を示す。この実施形態は、外部照明装置５４１を上記装飾プレート５０７を照らすように構成したものである。
【０１１２】
上記蓋体５０６の外周部には、上記蓋体５０６の内側に向けて開口する枠状の傘部５４２が設けられている。そして、上記傘部５４２の内面に、上記蓋体５０６の内方に向かうように、発光体５４３を備える照明装置５４１が取り付けられている。
【０１１３】
上記傘部５４２は不透明な材料から形成されており、上記発光体５４３の光を上記装飾プレート５０７に照射することができる。このため、上記蓋体５０６の装飾性が格段に高まる。また、一種の間接照明を構成できるため、これまでにない装飾効果を期待することができる。一方、上記傘部５４２は、上記蓋体５０６の外周縁部に設けられているため、非常時において蓋体５０６の輪郭を容易に把握することも可能となる。
【０１１４】
なお、上記傘部５４２を半透明な材料で形成して、一部の光を上記傘部５４２を通して漏れ出るように構成することもできる。
【０１１５】
図１５及び図１６に、本願発明の第６の実施形態を示す。この実施形態では、上記収納ボックス本体６０４の下側側壁６５１，左右の側壁６５２，６５３に矩形状の取付開口部６５４，６５５，６５６を設け、この取付開口部６５４，６５５，６５６に、中空壁６０２の内部空間へ延出する拡張ボックス６５７，６５８，６５９を設けたものである。
【０１１６】
上記拡張ボックス６５７，６５８，６５９には、鍔部６６０，６６１，６６２が設けられており、上記鍔部６６０，６６１，６６２を上記取付開口部６５４，６５５，６５６の縁部に連結することにより、上記拡張ボックス６５７，６５８，６５９が、上記収納ボックス本体６０４に連結固定される。
【０１１７】
上記拡張ボックス６５７，６５８，６５９は、上記収納ボックス本体６０４の側部から中空壁６０２の内部空間に延出するように設置されている。このため、収納スペースを増加させることができる。
【０１１８】
しかも、上記拡張ボックス６５７，６５８，６５９は、上記収納ボックス本体６０４の内側から設置できるように構成しているため、上記収納ボックス本体６０４を埋め込む壁面開口部６０３の寸法を変更することない。このため、外部からみた設置スペースを増加させることなく、収納スペースを増加させることが可能となる。
【０１１９】
なお、本実施の形態では、収納ボックス本体６０４の下及び左右の側壁部に、異なる大きさの拡張ボックス６５７，６５８，６５９を設けている。これにより、中空壁内部の梁や桟等を回避してできるだけ大きな拡張ボックスを設けることが可能となる。また、この実施の形態では、内部照明６６３及び電源回路６６４を上記拡張ボックス６５７，６５８，６５９と同様に、中空壁６０２の内部空間に延出させた拡張ボックス６６５内に設けている。これにより、上記収納ボックス本体６０４の収納スペースをさらに増加させることができる。
【０１２０】
本願発明は、上述の実施の形態に限定されることはない。実施の形態では、全体が矩形箱状の埋め込み収納ボックスを形成したが、ボックス形態は限定されることはない。たとえば、正面視３角形状やハート型形状のボックスを採用し、ボックス形状自体に装飾性をもたせることができる。特に、本実施の形態では、蓋体を面ファスナーで装着するように構成しているため、箱体と蓋体とに所望の形態のものを採用することができる。
【０１２１】
また、拡張ボックスの形態及び取付手法も実施の形態に限定されることはなく、種々の手法を用いて種々の形態の拡張ボックスを設けることができる。
【０１２２】
さらに、上述の電気回路も実施の形態に限定されることはなく、停電時に上記外部照明と上記内部照明とを点灯させることができる種々の回路を採用できる。
【０１２３】
また、本実施例では、防災用品等を収納するための壁埋め込み収納ボックスに本願発明を適用したが、リビング等に設置される装飾収納家具等として利用することもできる。
【図面の簡単な説明】
【０１２４】
【図１】本願発明の第１の実施形態に係る壁埋め込み収納ボックスの全体斜視図である。
【図２】図１に示す壁埋め込み収納ボックスの取付手順を示す分解斜視図である。
【図３】図１における III−III 線に沿う断面図であり、図１に示す壁埋め込み収納ボックスに収納した収納袋及びこれを取り出す態様を示す図である。
【図４】収納袋の他の実施形態を示す図である。
【図５】図４に示す収納袋の具体的形状を示す図である。
【図６】本願発明の第２の実施形態に係る壁埋め込み収納ボックスを示す図であり、図３に相当する断面図である。
【図７】本願発明の第３の実施形態に係る壁埋め込み収納ボックスを示す縦断面図である。
【図８】本願発明の第４の実施形態に係る壁埋め込み収納ボックスの取付状態を示す外観斜視図である。
【図９】図８に示す壁埋め込み収納ボックスの概略構成を示す分解斜視図である。
【図１０】図８に示す壁埋め込み収納ボックスの正面図である。
【図１１】図１０におけるＸＩ−ＸＩ線に沿う断面図である。
【図１２】図１１の要部の拡大図である。
【図１３】外部照明及び内部照明を点灯させる回路の一例である。
【図１４】本願発明の第５の実施形態を示す図であり、図１２に相当する断面図である。
【図１５】本願発明の第６の実施の形態を示す図であり、図１２に相当する断面図である。
【図１６】図１２におけるＸＶＩ−ＸＶＩ線に沿う断面図である。
【符号の説明】
【０１２５】
１０２  中空壁
１０４  収納ボックス本体
１０６  蓋体
１０８  正面開口部
１５８  拡張ボックス
１５９  拡張ボックス
【図１】
2008063934.tif 000003
【図２】
2008063934.tif 000004
【図３】
2008063934.tif 000005
【図４】
2008063934.tif 000006
【図５】
2008063934.tif 000007
【図６】
2008063934.tif 000008
【図７】
2008063934.tif 000009
【図８】
2008063934.tif 000010
【図９】
2008063934.tif 000011
【図１０】
2008063934.tif 000012
【図１１】
2008063934.tif 000013
【図１２】
2008063934.tif 000014
【図１３】
2008063934.tif 000015
【図１４】
2008063934.tif 000016
【図１５】
2008063934.tif 000017
【図１６】
2008063934.tif 000018